(57)【要約】【課題】ＶＣ−１符号化方式による画像信号をブルーレイ再生装置でリアルタイム再生できる方法を提供する。【解決手段】離散的な画素信号群からなる画像信号を周波数成分に信号変換処理し、これをＶＣ−１符号化方式で符号化し、こうして得られたシンプルプロファイル又はメインプロファイルの画像信号を、前記ＶＣ−１符号化方式のアドバンスドプロファイルの復号化処理と同じアルゴリズムで復号化処理する画像信号の変換処理方法であり、前記シンプルプロファイル又は前記メインプロファイルの復号化信号の周波数成分に、前記アドバンスドプロファイルの復号化処理において画素信号に加算される定数に応じた周波数成分のオフセット値を加算処理するステップ４を有する。【選択図】  図１
2010268169.tif 000002
【特許請求の範囲】
【請求項１】
離散的な画素信号群からなる画像信号を周波数成分に信号変換処理し、これをＶＣ−１符号化方式で符号化し、こうして得られたシンプルプロファイル又はメインプロファイルの画像信号を、前記ＶＣ−１符号化方式のアドバンスドプロファイルの復号化処理と同じアルゴリズムで復号化処理する画像信号の変換処理方法であって、
前記シンプルプロファイル又は前記メインプロファイルの画素信号を復号化して信号の周波数成分を生成するステップと、
前記信号の周波数成分に、前記アドバンスドプロファイルの復号化処理において画素信号に加算される定数に応じた周波数成分のオフセット値を加算処理するステップと、
前記オフセット値が加算された前記信号の周波数成分を前記信号変換処理とは逆の信号変換処理を施して画素信号を生成するステップと、
前記逆信号変換されて生成された画素信号に前記定数を加算するステップと、を有する画像信号の変換処理方法。
【請求項２】
請求項１に記載の画像信号の変換処理方法において、
前記信号変換処理は、離散コサイン変換処理である画像信号の変換処理方法。
【請求項３】
離散的な画素信号群からなる画像信号を周波数成分に信号変換処理し、これをＶＣ−１符号化方式で符号化し、こうして得られるシンプルプロファイル又はメインプロファイルの画像信号を、前記ＶＣ−１符号化方式のアドバンスドプロファイルの復号化処理と同じアルゴリズムで復号化処理する画像信号の変換処理装置であって、
前記シンプルプロファイル又は前記メインプロファイルの画素信号を復号化して信号の周波数成分を生成する周波数成分生成部と、
前記信号の周波数成分に、前記アドバンスドプロファイルの復号化処理において画素信号に加算される定数に応じた周波数成分のオフセット値を加算処理するオフセット値加算部と、
前記オフセット値が加算された前記信号の周波数成分を前記変換処理とは逆の信号変換処理を施して画素信号を生成する画素信号生成部と、
前記逆信号変換されて生成された画素信号に前記定数を加算する定数加算部と、を有することを特徴とする画像信号の変換処理装置。
【請求項４】
離散的な画素信号群からなる画像信号を周波数成分に信号変換処理し、これをＶＣ−１符号化方式で符号化し、こうして得られるシンプルプロファイル又はメインプロファイルの画像信号を、前記ＶＣ−１符号化方式のアドバンスドプロファイルの復号化処理と同じアルゴリズムで復号化処理する画像信号の変換処理プログラムであって、
前記シンプルプロファイル又は前記メインプロファイルの画素信号を復号化して信号の周波数成分を生成するステップと、
前記信号の周波数成分に、前記アドバンスドプロファイルの復号化処理において画素信号に加算される定数に応じた周波数成分のオフセット値を加算処理するステップと、
前記オフセット値が加算された前記信号の周波数成分を前記信号変換処理とは逆の信号変換処理を施して画素信号を生成するステップと、
前記逆信号変換されて生成された画素信号に前記定数を加算するステップと、をコンピュータに実行させるための画像信号の変換処理プログラム。
【発明の詳細な説明】
【技術分野】
【０００１】
本発明は、ＶＣ−１符号化方式による画像信号の変換処理方法、変換処理装置及び変換処理プログラムに関する。
【背景技術】
【０００２】
Windows Media Player（登録商標。以下、ＷＭＰともいう。）のソフトウェアを用いて再生可能なＶＣ−１（Video Codec-1）符号化方式によるストリームファイルには、シンプルプロファイル、メインプロファイルおよびアドバンスドプロファイルという３種類のプロファイルが存在するが（特許文献１の段落００２３参照）、シンプル／メインプロファイルとアドバンスドプロファイルとの間にデータの互換性はない。
【０００３】
また、ＶＣ−１のアドバンスドプロファイルは、ブルーレイ再生装置で再生可能であるが、ＶＣ−１のシンプル／メインプロファイルはいずれもブルーレイ再生装置で再生することはできない。
【先行技術文献】
【特許文献】
【０００４】
【特許文献１】再表２００６／０２５５２７号公報
【発明の概要】
【発明が解決しようとする課題】
【０００５】
このように、ＶＣ−１のシンプル／メインプロファイルをブルーレイ再生装置で再生するためには、オフラインにおいて当該シンプル／メインプロファイルを復号化し、これをアドバンスドプロファイルのエンコーダで符号化する必要があり、シンプル／メインプロファイルをブルーレイ再生装置でリアルタイムに再生することはできなかった。
【０００６】
本発明が解決しようとする課題は、ＶＣ−１符号化方式による画像信号をブルーレイ再生装置でリアルタイムに再生できる方法、装置及びプログラムを提供することである。
【課題を解決するための手段】
【０００７】
本発明は、ＶＣ−１のシンプルプロファイル又はメインプロファイルの画素信号を復号化して生成された信号の周波数成分に、アドバンスドプロファイルの復号化処理において画素信号に加算される定数に応じた周波数成分のオフセット値を加算処理することによって、上記課題を解決する。
【発明の効果】
【０００８】
本発明によれば、復号化して生成された画素信号の周波数成分に、アドバンスドプロファイルの復号化処理において画素信号に加算される定数に応じた周波数成分のオフセット値を加算処理するので、これを逆信号変換処理して得られる画素信号に前記定数を加算しても前記オフセット値で相殺することができる。
【０００９】
こうしたオフセット値の加算処理は簡単なプログラムで実現できるので、アドバンスドプロファイルと同じアルゴリズム、すなわちブルーレイ再生装置を用いてＶＣ−１のシンプル／メインプロファイルをリアルタイム再生することができる。
【発明を実施するための形態】
【００１０】
以下、本発明の一実施の形態を図面に基づいて説明する。図１は、発明の一実施の形態を適用した画像信号の変換処理方法を示す処理工程図、図２は同じく画像信号の変換処理装置を示すブロック図である。
【００１１】
以下においては、ＶＣ−１符号化方式によるシンプルプロファイル又はメインプロファイル１の動画信号をブルーレイ再生装置で再生可能なファイル形式にリアルタイムでコンバートする例を挙げて本発明を説明する。
【００１２】
ＶＣ−１符号化方式によるシンプルプロファイル又はメインプロファイル１は、複数の画素信号（アナログ信号）をサンプリングすることにより得られた離散的な画素信号をＶＣ−１方式により符号化（ここでは圧縮処理）するにあたり、より圧縮率を高めるために離散コサイン変換（Discrete Cosine Transform, DCT）を用いて画素信号を前処理する。
【００１３】
この離散コサイン変換は、元画像であるアナログ信号を数学的な離散コサイン変換というアルゴリズムを用いて低周波や高周波などの周波数成分に分解する変換処理であり、たとえば人間の目の視覚特性に敏感な低周波成分を主として抽出し、視覚特性に影響が少ない高周波成分を削除する前処理として利用することができる。
【００１４】
離散コサイン変換処理された画素信号の周波数成分（これをＤＣＴ係数と称する。）は、ＶＣ−１のエンコーダにより圧縮処理され、ＶＣ−１のシンプルプロファイル又はメインプロファイル１として記録される。
【００１５】
本例では、このようにして記録されたＶＣ−１のシンプルプロファイル又はメインプロファイル１に対し、ヘッダ情報の前処理を実行し、復号化する際に必要とされるヘッダ情報テーブルを作成する。
【００１６】
すなわち、ＶＣ−１ストリームのヘッダ情報として、シンプルプロファイルまたはメインプロファイルのシーケンスヘッダ、ピクチャレイヤおよびマクロブロックレイヤをアドバンスドプロファイルに変換する。また、シンプルプロファイル又はメインプロファイルにはないがアドバンスドプロファイルには必要とされるスライスレイヤを追加する。
【００１７】
前処理についで、上述したＶＣ−１のシンプルプロファイル又はメインプロファイル１に対し、図１に示すようにＶＣ−１のデコーダにより復号化処理２（ここでは伸張処理）を実行し、画素信号の周波数成分３、すなわち直流成分と交流成分を生成する。この周波数成分は、上述した圧縮処理の前処理として実行された離散コサイン変換によるＤＣＴ係数３となる。図２の変換処理装置においては周波数成分生成部２Ａがこの処理を実行する。
【００１８】
次いで、各画素信号のＤＣＴ係数３に、後述する定数加算処理により加算される定数に応じたオフセット値を加算する（図１のオフセット値加算処理４及び図２のオフセット値加算部４Ａ）。
【００１９】
ＶＣ−１のアドバンスドプロファイルの復号化処理においては、ＤＣＴ係数３に対して逆離散コサイン変換処理５を施して得られる画素信号６に、画素座標における定数を加算処理７することが行われる。これに対し、シンプルプロファイル及びメインプロファイルの復号化処理においては、この定数の加算処理が行われないことから、シンプルプロファイル及びメインプロファイルをアドバンスドプロファイルの復号化アルゴリズムで複合化すると、すなわちブルーレイ再生装置で再生すると、加算される定数のぶんだけ色彩又は輝度がズレ、本来の画像を再現することができない。
【００２０】
このため、本例ではアドバンスドプロファイルの復号化アルゴリズムで加算される定数に対応したオフセット値、つまり当該定数を相殺するオフセット値を予めＤＣＴ係数に加算し、これにより定数加算処理７で定数が加算されたときに本来の画素信号の色彩又は輝度となるようにする。
【００２１】
ただし、定数加算処理７にて加算される定数は画素座標、たとえば−１２８〜＋１２８における定数であるのに対し、周波数成分オフセット値加算処理４にて加算する対象は周波数成分座標、たとえば０〜２５６であり、両者の座標次元が相違することがある。このため、画素座標と周波数座標との対応関係を予め設定しておき、定数加算処理７における定数に対応するオフセット値加算処理４のオフセット値を演算し、これをＤＣＴ係数３に加算する。
【００２２】
各画素信号にオフセット値を加算したら、各画素信号に対し逆離散コサイン変換処理５を施して画素信号６を生成する。上述した離散コサイン変換は可逆的処理であるため、逆離散コサイン変換処理を実行することで、オフセット値のぶんだけ色彩又は輝度がオフセットした画素信号６が得られる。図２の変換処理装置においては画素信号生成部５Ａがこの処理を実行する。
【００２３】
次いで、各画素信号６に定数を加算する（図１の定数加算処理７及び図２の定数加算部７Ａ）。既述したとおり、この定数加算処理７はアドバンスドプロファイルの復号化処理に特有のアルゴリズムであって、シンプルプロファイル及びメインプロファイルの復号化処理には存在しないものであるが、周波数成分のオフセット値加算処理４によって定数の加算分が予め考慮されているため、この定数加算処理７の結果得られる画素信号は、シンプルプロファイル又はメインプロファイルとして記録された画素信号の色彩又は輝度となる。
【００２４】
最後に所定のオーバーラップスムース処理８及びループフィルタ処理９を実行することで復号化（伸張）された画像信号となる。図２の変換処理装置においてはオーバーラップスムース処理部８Ａ及びループフィルタ処理部９Ａがこの処理を実行する。
【００２５】
以上のように、本例の画像信号の変換処理方法では、ＤＣＴ係数に所定のオフセット値を加算するだけの処理を付加するものであり、こうしたオフセット値の加算処理は簡単なプログラムで実現することができる。したがって、アドバンスドプロファイルと同じアルゴリズム、すなわちブルーレイ再生装置を用いてＶＣ−１のシンプル／メインプロファイルをリアルタイム再生することができる。
【図面の簡単な説明】
【００２６】
【図１】本発明の一実施の形態を適用した画像信号の変換処理方法を示す処理工程図である。
【図２】図１に示す画像信号の変換処理を実行する変換処理装置の一例を示すブロック図である。
【符号の説明】
【００２７】
１…シンプルプロファイル／メインプロファイル
２…複合化処理
２Ａ…周波数成分生成部
３…ＤＣＴ係数
４…オフセット値加算処理
４Ａ…オフセット値加算部
５…逆離散コサイン変換処理
５Ａ…画像信号生成部
６…画素信号
７…定数加算処理
７Ａ…定数加算部
【図１】
2010268169.tif 000003
【図２】
2010268169.tif 000004